(57)【要約】【課題】  記録媒体の残容量をオーバーせずに、かつ可能な限りユーザの希望する記録媒体へデータを記録することができる録画装置および録画方法を提供する。【解決手段】  録画予約部１１は、複数個の媒体に優先順位を付けて、優先順位にしたがって受信した番組のコンテンツを記録する媒体を自動で設定するような録画予約の指定を受付ける。録画制御部１２は、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する。【選択図】        図１
2007028177.tif 000002
【特許請求の範囲】
【請求項１】
複数個の媒体のうちの選択された媒体への記録が可能な録画装置であって、
前記複数個の媒体に優先順位を付けて、前記優先順位にしたがって受信した番組のコンテンツを記録する媒体を自動で設定するような録画予約の指定を受付ける録画予約部と、
前記録画予約された番組の録画直前に、前記録画予約での記録する媒体が自動に設定されているときには、前記優先順位の高い媒体から順次選択し、前記選択した媒体で前記録画予約した番組のコンテンツの記録が可能なかどうかを判断し、記録が可能と判断したときに、前記選択した媒体を前記録画予約した番組のコンテンツを記録する媒体として設定する録画制御部とを備え、
前記録画制御部は、前記選択した媒体が自装置に装着されており、かつ前記選択した媒体自体が記録可能な媒体であるとともに、前記選択した媒体の記録残容量が前記録画予約した番組のコンテンツを記録するための容量以上であるときに、前記選択した媒体で前記録画予約した番組のコンテンツの記録が可能であると判断する、録画装置。
【請求項２】
複数個の媒体のうちの選択された媒体への記録が可能な録画装置であって、
前記複数個の媒体に優先順位を付けて、前記優先順位にしたがって受信した番組のコンテンツを記録する媒体を自動で設定するような録画予約の指定を受付ける録画予約部と、
前記録画予約された番組の録画直前に、前記録画予約での記録する媒体が自動に設定されているときには、前記優先順位の高い媒体から順次選択し、前記選択した媒体で前記録画予約した番組のコンテンツの記録が可能なかどうかを判断し、記録が可能と判断したときに、前記選択した媒体を前記録画予約した番組のコンテンツを記録する媒体として設定する録画制御部とを備え、
前記録画制御部は、前記選択した媒体の記録残容量が前記録画予約した番組のコンテンツを記録するための容量以上のときに、前記選択した媒体で前記録画予約した番組のコンテンツの記録が可能であると判断する、録画装置。
【請求項３】
前記録画制御部は、前記選択した媒体の記録残容量が前記録画予約した番組のコンテンツを記録するための容量以上であることに加えて、さらに前記選択した媒体が自装置に装着されており、かつ前記選択した媒体自体が記録可能な媒体のときに、前記選択した媒体で前記録画予約した番組のコンテンツの記録が可能であると判断する、請求項２記載の録画装置。
【請求項４】
複数個の媒体のうちの選択された媒体への記録が可能な録画方法であって、
前記複数個の媒体に優先順位を付けて、前記優先順位にしたがって受信した番組のコンテンツを記録する媒体を自動で設定するような録画予約の指定を受付ける録画予約ステップと、
前記録画予約された番組の録画直前に、前記録画予約での記録する媒体が自動に設定されているときには、前記優先順位の高い媒体から順次選択し、前記選択した媒体で前記録画予約した番組のコンテンツの記録が可能なかどうかを判断し、記録が可能と判断したときに、前記選択した媒体を前記録画予約した番組のコンテンツを記録する媒体として設定する録画制御ステップを含み、
前記録画制御ステップは、前記選択した媒体が自装置に装着されており、かつ前記選択した媒体自体が記録可能な媒体であるとともに、前記選択した媒体の記録残容量が前記録画予約した番組のコンテンツを記録するための容量以上であるときに、前記選択した媒体で前記録画予約した番組のコンテンツの記録が可能であると判断する、録画方法。
【請求項５】
複数個の媒体のうちの選択された媒体への記録が可能な録画方法であって、
前記複数個の媒体に優先順位を付けて、前記優先順位にしたがって受信した番組のコンテンツを記録する媒体を自動で設定するような録画予約の指定を受付ける録画予約ステップと、
前記録画予約された番組の録画直前に、前記録画予約での記録する媒体が自動に設定されているときには、前記優先順位の高い媒体から順次選択し、前記選択した媒体で前記録画予約した番組のコンテンツの記録が可能なかどうかを判断し、記録が可能と判断したときに、前記選択した媒体を前記録画予約した番組のコンテンツを記録する媒体として設定する録画制御ステップとを含み、
前記録画制御ステップは、前記選択した媒体の記録残容量が前記録画予約した番組のコンテンツを記録するための容量以上のときに、前記選択した媒体で前記録画予約した番組のコンテンツの記録が可能であると判断する、録画方法。
【請求項６】
前記録画制御ステップは、前記選択した媒体の記録残容量が前記録画予約した番組のコンテンツを記録するための容量以上であることに加えて、さらに前記選択した媒体が自装置に装着されており、かつ前記選択した媒体自体が記録可能な媒体のときに、前記選択した媒体で前記録画予約した番組のコンテンツの記録が可能であると判断する、請求項５記載の録画方法。
【発明の詳細な説明】
【技術分野】
【０００１】
本発明は、録画装置および録画方法に関し、特に、複数個の媒体のうちの選択されば媒体に記録可能な録画装置および録画方法に関する。
【背景技術】
【０００２】
従来から、複数の記録機器への記録が可能で、状況に応じていずれかの記録機器を選択して記録を行なう装置が提案されている。
【０００３】
たとえば、特許文献１では、タイマー予約機器は、接続された外部の記録機器の状態情報（記録媒体残量、記録可能な入力形態、記録に必要な外部機器の情報、タイマー予約方法、既予約内容、内容属性指定など）と、接続された外部の記録機器の状態情報と、ユーザから入力された記録予約に関する情報と、すでに予約されている予約内容の情報を用いて、入力された予約内容をどの記録機器で行なうかの予約配分を行ない、予約配分に際して、記録媒体残量をオーバーしないように配分するための構成が開示されている。
【０００４】
また、特許文献２では、ネットワーク機能を有するレコーダ（またはレコード機能を有するテレビジョン）において、単にレコーダまたはテレビジョン装置本体に予約記録を設定するだけではなく、他の予約と時間が重複する場合や、記憶容量不足により予約ができない場合などに、ネットワーク上の他の記録機器への予約記録の分散を行なうための構成が開示されている。
【０００５】
以上のように、特許文献１および特許文献２に開示されている装置では、記録媒体の残容量がオーバーしないように記録媒体が選ばれるので、確実にデータを記録することができる。
【特許文献１】特開平１１−３５５７０７号公報
【特許文献２】特開２００３−１９９００４号公報
【発明の開示】
【発明が解決しようとする課題】
【０００６】
しかしながら、特許文献１および特許文献２に開示されている装置では、ユーザが希望する記録媒体にデータが記録されない場合がある。
【０００７】
たとえば、ユーザが使用する装置がＤＶＤとＨＤＤのいずれにも記録可能であり、ユーザができるだけＤＶＤの方に記録したいときに、ＤＶＤとＨＤＤのいずれの残容量もオーバーしない場合でも、ＨＤＤの方に記録されてしまうことがある。
【０００８】
それゆえに、本発明の目的は、記録媒体の残容量をオーバーせずに、かつ可能な限りユーザの希望する記録媒体へデータを記録することができる録画装置および録画方法を提供することである。
【課題を解決するための手段】
【０００９】
上記課題を解決するために、本発明は、複数個の媒体のうちの選択された媒体への記録が可能な録画装置であって、複数個の媒体に優先順位を付けて、優先順位にしたがって受信した番組のコンテンツを記録する媒体を自動で設定するような録画予約の指定を受付ける録画予約部と、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する録画制御部とを備え、録画制御部は、選択した媒体が自装置に装着されており、かつ選択した媒体自体が記録可能な媒体であるとともに、選択した媒体の記録残容量が録画予約した番組のコンテンツを記録するための容量以上であるときに、選択した媒体で録画予約した番組のコンテンツの記録が可能であると判断する。
【００１０】
また、本発明は、複数個の媒体のうちの選択された媒体への記録が可能な録画装置であって、複数個の媒体に優先順位を付けて、優先順位にしたがって受信した番組のコンテンツを記録する媒体を自動で設定するような録画予約の指定を受付ける録画予約部と、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する録画制御部とを備え、録画制御部は、選択した媒体の記録残容量が録画予約した番組のコンテンツを記録するための容量以上のときに、選択した媒体で録画予約した番組のコンテンツの記録が可能であると判断する。
【００１１】
好ましくは、録画制御部は、選択した媒体の記録残容量が録画予約した番組のコンテンツを記録するための容量以上であることに加えて、さらに選択した媒体が自装置に装着されており、かつ選択した媒体自体が記録可能な媒体のときに、選択した媒体で録画予約した番組のコンテンツの記録が可能であると判断する。
【００１２】
また、本発明は、複数個の媒体のうちの選択された媒体への記録が可能な録画方法であって、複数個の媒体に優先順位を付けて、優先順位にしたがって受信した番組のコンテンツを記録する媒体を自動で設定するような録画予約の指定を受付ける録画予約ステップと、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する録画制御ステップを含み、録画制御ステップは、選択した媒体が自装置に装着されており、かつ選択した媒体自体が記録可能な媒体であるとともに、選択した媒体の記録残容量が録画予約した番組のコンテンツを記録するための容量以上であるときに、選択した媒体で録画予約した番組のコンテンツの記録が可能であると判断する。
【００１３】
また、本発明は、複数個の媒体のうちの選択された媒体への記録が可能な録画方法であって、複数個の媒体に優先順位を付けて、優先順位にしたがって受信した番組のコンテンツを記録する媒体を自動で設定するような録画予約の指定を受付ける録画予約ステップと、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する録画制御ステップとを含み、録画制御ステップは、選択した媒体の記録残容量が録画予約した番組のコンテンツを記録するための容量以上のときに、選択した媒体で録画予約した番組のコンテンツの記録が可能であると判断する。
【００１４】
好ましくは、録画制御ステップは、選択した媒体の記録残容量が録画予約した番組のコンテンツを記録するための容量以上であることに加えて、さらに選択した媒体が自装置に装着されており、かつ選択した媒体自体が記録可能な媒体のときに、選択した媒体で録画予約した番組のコンテンツの記録が可能であると判断する。
【発明の効果】
【００１５】
本発明の録画装置および録画方法によれば、記録媒体の残容量をオーバーせずに、かつ可能な限りユーザの希望する記録媒体へデータを記録することができる。
【発明を実施するための最良の形態】
【００１６】
以下、本発明の実施の形態について図面を用いて説明する。
図１は、本発明の実施形態の録画装置の構成を示すブロック図である。
【００１７】
図１を参照して、録画装置１は、録画予約部１１と、録画予約情報記憶部１２と、表示部１４と、受信部１３と、録画制御部１２と、ＨＤ（Hard Disk)レコーダ１５と、ＤＶＤ(Digital Versatile Disk)レコーダ１６と、ＶＣＲ(Video Cassete Recorder)１７とを備える。
【００１８】
受信部１３は、放送局から送信される番組のコンテンツを受信する。
表示制御部１４は、外部のディスプレイに対してメッセージの表示などを行なう。
【００１９】
ＨＤレコーダ１５は、ハードディスクへの記録および再生を制御する。
ＤＶＤレコーダ１６は、ＤＶＤが装着され、ＤＶＤへの記録およびＤＶＤの再生を制御する。
【００２０】
ＶＣＲ１７は、ビデオテープが装着され、ビデオテープへの記録およびビデオテープの再生を制御する。
【００２１】
録画予約部１１は、録画するチャンネル、録画する時間帯、録画モードおよび記録する媒体の指定を受付けて、録画予約情報を作成する。録画予約部１１は、記録する媒体として、ハードディスク、ＤＶＤ、ビデオテープおよび自動の指定のいずれかを受付ける。録画予約部１１は、記録する媒体として自動が指定されたときには、さらに、第１優先媒体、第２優先媒体および第３優先媒体の指定を受付ける。
【００２２】
録画予約情報記憶部１２は、録画予約情報を記憶する。
図２（ａ）〜図２（ｉ）は、録画予約情報の例を表わす図である。
【００２３】
図２（ａ）〜図２（ｉ）を参照して、録画予約情報は、録画するチャンネル（４ｃｈなど）、録画する時間帯（１１：００−１１：５５など）と、録画モード（３倍モードなど）と、記録する媒体（ＤＶＤ、ハードディスク、ビデオテープまたはＡｕｔｏ）とを表わす情報を含む。
【００２４】
また、録画予約情報は、記録する媒体がＡｕｔｏのときには、図２（ｄ）〜図２（ｉ）に示すように、第１優先媒体、第２優先媒体および第３優先媒体を表わす情報を含む。
【００２５】
図２（ｄ）では、第１優先媒体としてＤＶＤを、第２優先媒体としてハードディスクを、第３優先媒体としてビデオテープを表わす情報を含む。
【００２６】
図２（ｅ）では、第１優先媒体としてＤＶＤを、第２優先媒体としてビデオテープを、第３優先媒体としてハードディスクを表わす情報を含む。
【００２７】
図２（ｆ）では、第１優先媒体としてハードディスクを、第２優先媒体としてＤＶＤを、第３優先媒体としてビデオテープを表わす情報を含む。
【００２８】
図２（ｇ）では、第１優先媒体としてハードディスクを、第２優先媒体としてビデオテープを、第３優先媒体としてＤＶＤを表わす情報を含む。
【００２９】
図２（ｈ）では、第１優先媒体としてビデオテープを、第２優先媒体としてハードディスクを、第３優先媒体としてＤＶＤを表わす情報を含む。
【００３０】
図２（ｉ）では、第１優先媒体としてビデオテープを、第２優先媒体としてＤＶＤを、第３優先媒体としてハードディスクを表わす情報を含む。
【００３１】
録画制御部１２は、受信した番組のコンテンツのハードディスク、ＤＶＤまたはビデオテープへの記録を制御する。録画制御部１２は、録画予約された番組の録画直前に、録画予約での記録する媒体が自動に設定されているときには、優先順位の高い媒体から順次選択し、選択した媒体で録画予約した番組のコンテンツの記録が可能なかどうかを判断し、記録が可能と判断したときに、選択した媒体を録画予約した番組のコンテンツを記録する媒体として設定する。
【００３２】
具体的には、録画制御部１２は、選択した媒体が録画可能状態、すなわち選択した媒体が自装置に装着されており、かつ選択した媒体自体が記録可能な媒体であることに加えて、さらに選択した媒体の記録残容量が録画予約した番組のコンテンツを記録するための容量以上であるときに、選択した媒体で録画予約した番組のコンテンツの記録が可能であると判断する。
【００３３】
ここで、選択した媒体自体が記録可能な媒体であるとは、媒体がビデオテープの場合にはつめが折られていないビデオテープであること、媒体がＤＶＤの場合には読書き可能な媒体であることを意味する。
【００３４】
選択した媒体の記録残容量は、媒体がＤＶＤおよびハードディスクの場合には、現在データが記録されている領域の末端の位置から記録領域の終了位置までの容量を意味し、媒体がビデオテープの場合には、現在の記録位置から終了位置までの容量を意味する。ここで、ＤＶＤおよびハードディスクの記録残容量は、現在データが記録されている領域の末端のアドレスと記録領域の末端のアドレスによって算出することができる。また、ビデオテープの記録残容量は、ビデオテープを走行させて、サプライとテイクアップの両リールの回転周期を計測し、計測した回転周期と、計測時のテープの走行速度と、テープ厚と、リールのハブ径などによって算出することができる。
【００３５】
録画予約した番組のコンテンツを記録するための容量は、録画予約した番組の録画時間および録画モードに基づいて算出される。
【００３６】
（録画予約の動作）
図３は、本発明の実施形態の録画装置の録画予約の動作手順を表わすフローチャートである。
【００３７】
図３を参照して、録画予約部１１は、ユーザから録画するチャンネルの指定を受付ける（ステップＳ１０１）。
【００３８】
次に、録画予約部１１は、ユーザから録画する時間の指定を受付ける（ステップＳ１０２）。
【００３９】
次に、録画予約部１１は、ユーザから録画モードの指定を受付ける（ステップＳ１０３）。
【００４０】
次に、録画予約部１１は、記録する媒体の指定を受付ける（ステップＳ１０４）。
次に、録画予約部１１は、記録する媒体として自動が設定されたときには（ステップＳ１０５でＹＥＳ）、第１優先媒体、第２優先媒体および第３優先媒体の指定を受付ける（ステップＳ１０６、Ｓ１０７、Ｓ１０８）。
【００４１】
（録画直前の記録媒体の設定動作）
図４は、本発明の実施形態の録画装置の録画直前における記録する媒体の設定動作の動作手順を表わすフローチャートである。
【００４２】
図４を参照して、録画制御部１２は、まず、第１優先媒体を選択し、第１優先媒体が録画可能状態、すなわち第１優先媒体が自装置に装着されており、かつ第１優先媒体自体が記録可能な媒体であるかどうかを調べる。
【００４３】
録画制御部１２は、第１優先媒体が録画可能状態にある場合には（ステップＳ２０１でＹＥＳ）、第１優先媒体の記録残容量が録画予約した番組のコンテンツを記録するための容量以上かどうかを調べる。
【００４４】
録画制御部１２は、第１優先媒体の記録容量が録画予約した番組のコンテンツを記録するための容量以上のときには（ステップＳ２０２でＹＥＳ）、第１優先媒体で録画予約した番組のコンテンツの記録が可能と判断し、第１優先媒体を録画予約した番組のコンテンツを記録する媒体として設定する（ステップＳ２０３）。
【００４５】
録画制御部１２は、選択した第１優先媒体が録画可能状態にない場合（ステップＳ２０１でＮＯ）および第１優先媒体の記録容量が録画予約した番組のコンテンツを記録するための容量未満の場合には（ステップＳ２０２でＮＯ）、第２優先媒体を選択し、第２優先媒体が録画可能状態、すなわち第２優先媒体が自装置に装着されており、かつ第２優先媒体自体が記録可能な媒体であるかどうかを調べる。
【００４６】
録画制御部１２は、第２優先媒体が録画可能状態にある場合には（ステップＳ２０４でＹＥＳ）、第２優先媒体の記録残容量が録画予約した番組のコンテンツを記録するための容量以上かどうかを調べる。
【００４７】
録画制御部１２は、第２優先媒体の記録容量が録画予約した番組のコンテンツを記録するための容量以上のときには（ステップＳ２０５でＹＥＳ）、第２優先媒体で録画予約した番組のコンテンツの記録が可能と判断し、第２優先媒体を録画予約した番組のコンテンツを記録する媒体として設定する（ステップＳ２０６）。
【００４８】
録画制御部１２は、選択した第２優先媒体が録画可能状態にない場合（ステップＳ２０４でＮＯ）および第２優先媒体の記録容量が録画予約した番組のコンテンツを記録するための容量未満の場合には（ステップＳ２０５でＮＯ）、第３優先媒体を選択し、第３優先媒体が録画可能状態、すなわち第３優先媒体が自装置に装着されており、かつ第３優先媒体自体が記録可能な媒体であるかどうかを調べる。
【００４９】
録画制御部１２は、第３優先媒体自体が録画可能状態にある場合には（ステップＳ２０７でＹＥＳ）、第３優先媒体の記録残容量が録画予約した番組のコンテンツを記録するための容量以上かどうかを調べる。
【００５０】
録画制御部１２は、第３優先媒体の記録容量が録画予約した番組のコンテンツを記録するための容量以上のときには（ステップＳ２０８でＹＥＳ）、第３優先媒体で録画予約した番組のコンテンツの記録が可能と判断し、第３優先媒体を録画予約した番組のコンテンツを記録する媒体として設定する（ステップＳ２０９）。
【００５１】
録画制御部１２は、選択した第３優先媒体が録画可能状態にない場合（ステップＳ２０７でＮＯ）および第３優先媒体の記録容量が録画予約した番組のコンテンツを記録するための容量未満の場合には（ステップＳ２０８でＮＯ）、表示制御部１４に録画実行不可のメッセージを出力させる（ステップＳ２１０）。
【００５２】
以上のように、本発明の実施形態の録画装置によれば、録画時に、記録媒体の残容量をオーバーせずに、かつ可能な限りユーザの希望する記録媒体へコンテンツを記録することができる
（変形例）
本発明は、上記実施の形態に限定されるものではなく、たとえば、以下の変形例も包含する。
【００５３】
（１）  記録媒体の種類
本発明の実施形態では、録画装置は、ＤＶＤ、ハードディスクおよびビデオテープのうちの選択された媒体に記録が可能であったが、媒体の種類は、ＤＶＤ、ハードディスクおよびビデオテープに限定されるものではない。たとえば、ＤＶＤおよびビデオテープであってもよく、あるいは２台のビデオテープであってもよい。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】本発明の実施形態の録画装置の構成を示すブロック図である。
【図２】（ａ）〜（ｉ）は、録画予約情報の例を表わす図である。
【図３】本発明の実施形態の録画装置の録画予約の動作手順を表わすフローチャートである。
【図４】本発明の実施形態の録画装置の録画直前における記録する媒体の設定動作の動作手順を表わすフローチャートである。
【符号の説明】
【００５６】
１  録画装置、１１  録画予約部、１２  録画制御部、１３  受信部、１４  表示制御部、１５  ＨＤレコーダ、１６  ＤＶＤレコーダ、１７  ＶＣＲ、１８  録画予約情報記憶部。
【図１】
2007028177.tif 000003
【図２】
2007028177.tif 000004
【図３】
2007028177.tif 000005
【図４】
2007028177.tif 000006